(57)【要約】【課題】太陽電池を装着した建築物の外観意匠を著しく向上させる。【解決手段】太陽電池２の表面に塗布され、増粘剤及び硬化剤を含有する透明性塗料１１に多数のガラスカレット１０を混合してなる。【選択図】図１
2007300014.tif 000002
【特許請求の範囲】
【請求項１】
太陽電池の表面に塗布され、増粘剤及び硬化剤を含有する透明性塗料に多数のガラスカレットを混合してなることを特徴とする太陽電池用塗料。
【請求項２】
前記透明性塗料がウレタン系溶剤からなることを特徴とする請求項１に記載の太陽電池用塗料。
【請求項３】
前記ガラスカレットが径１ｍｍ程度であることを特徴とする請求項１又は２に記載の太陽電池用塗料。
【請求項４】
増粘剤及び硬化剤を含有する透明性塗料に多数のガラスカレットを混合した塗料を表面に塗布してなることを特徴とする太陽電池。
【請求項５】
前記増粘剤及び前記硬化剤がウレタン系溶剤からなることを特徴とする請求項４に記載の太陽電池。
【請求項６】
前記ガラスカレットが径１ｍｍ程度であることを特徴とする請求項４又は５に記載の太陽電池。
【発明の詳細な説明】
【技術分野】
【０００１】
本発明は、太陽電池の表面に塗布するための太陽電池用塗料及びこれを塗布した太陽電池に関する。
【背景技術】
【０００２】
従来より、太陽光発電により電力を得るパネル型やフィルム型等の太陽電池が提供されている（特許文献１及び特許文献２等参照）。近年では、この太陽電池を備えた住宅や中高層建物が増加している。太陽電池は、太陽光を受光し易いように建築物の屋根や壁面等に設置される。従って、太陽電池の表面外観は、建築物の意匠性に大きく影響する。しかし、従来の太陽電池の表面は、電力効率のみ重要視されており、なにも意匠的な工夫がされていない。
【特許文献１】特開２００１−３１３４０９号公報
【特許文献２】特開平１０−２８４７４５号公報
【発明の開示】
【発明が解決しようとする課題】
【０００３】
そこで本発明が解決しようとする課題は、太陽電池を装着した建築物の外観意匠を著しく向上させるための太陽電池用塗料及びこれを塗布した太陽電池を提供することにある。
【課題を解決するための手段】
【０００４】
上記の課題を解決するために、本発明に係る太陽電池用塗料は、太陽電池の表面に塗布され、増粘剤及び硬化剤を含有する透明性塗料に多数のガラスカレットを混合してなる。
【０００５】
また、本発明に係る太陽電池は、増粘剤及び硬化剤を含有する透明性塗料に多数のガラスカレットを混合した塗料を表面に塗布してなる。
【０００６】
好ましくは、前記増粘剤及び前記硬化剤がウレタン系溶剤からなる。
【０００７】
さらに好ましくは、前記ガラスカレットが径１ｍｍ程度である。
【発明の効果】
【０００８】
本発明に係る太陽電池用塗料は、上記のように、増粘剤及び硬化剤を含有する透明性塗料及びガラスカレットを混合して構成されている。このように、ガラスカレットの混合した塗料を太陽電池表面に塗布することによって、微細ガラスが太陽光を反射してきらきらと美しく輝く。従って、この太陽電池を設置した建築物全体の意匠性を大きく向上させることができる。
【発明を実施するための最良の形態】
【０００９】
以下、本発明に係る太陽電池用塗料及びこれを塗布した太陽電池について、一実施形態を詳細に説明する。
【００１０】
図１は、塗料の塗布された太陽電池を示す断面図である。図１の如く、太陽電池（２）が、建築物外壁（３）に装着されている。建築物外壁（３）は、建物の屋根や壁面等を示す。太陽電池（２）は、太陽電池の基本単体であるセルを所定数配列して、強化ガラスで覆ったものである。太陽電池（２）は、パネル型やフィルム型等があり、セルは、多結晶シリコン、単結晶シリコン、アモルファスシリコン等がある。
【００１１】
太陽電池（２）の表面に、本発明に係る太陽電池用塗料（１）が塗布されている。太陽電池用塗料（１）は、透明性塗料（１１）にガラスカレット（１０）を混合、攪拌して構成されている。透明性塗料（１１）は、粘度が低くガラスカレット（１０）のような重い粒子を支持することができないので、粘度を高くするための増粘剤と早く硬化させるための硬化剤とが含有されている。
【００１２】
透明性塗料（１１）、増粘剤、及び硬化剤はウレタン系溶剤である。ウレタン系溶剤は、耐候性に優れ適度な柔軟性を有しており、太陽電池（２）表面の塗料として適している。また、太陽電池用塗料（１）が早く乾燥するように、透明性塗料（１１）にシンナー等の希釈剤を含有してもよい。
【００１３】
本実施形態では、ガラスカレット（１０）は、粒径１ｍｍ程度であって、透明と茶の混色からなっている。なお、産業廃棄物のガラスカレットを用いると環境性に優れる。ガラスカレット（１０）は、安全性のために面取り及び焼成処理されている。そして、太陽電池用塗料（１）は、ガラスカレット約４００ｇに対して、透明性塗料約２４０ｇ、硬化剤約４０ｇで構成されている。希釈剤約１０ｇを加えるとなお良い。前記したガラスカレット（１０）及び透明性塗料（１１）の構成が最も好ましいが、ガラスカレット（１０）や透明性塗料（１１）の混合割合や種類等は上記以外にも様々なものを適用することができる。
【００１４】
次に、太陽電池用塗料（１）を太陽電池（２）に塗布する方法について説明する。建築物（３）に装着された太陽電池（２）の表面に、吹き付け装置（図示略）で太陽電池用塗料（１）を吹き付け塗装する。先ず、下塗り層を塗装する。下塗り層は、ガラスカレット（１０）が強く固着するように、吹き付け圧を強めにして塗布している。その上に、第一層目を塗装する。第一層目は、下塗り層と次の第二層目とを結合するため、表面に凹凸が形成されるよう大きめのガラスカレット（１０）が混入された塗料（１）からなる。
【００１５】
第二層目は、意匠性と機能性を有するよう、ガラスカレット（１０）が厚めに混入されている。第三層目は、安全性を考慮して、第二層目の表面の凹凸を平面化するため、小さめのガラスカレット（１０）を混入した塗料（１）を吹き付けてなる。そして、太陽電池用塗料（１）の全体厚さが約１．５ｍｍになっている。
【００１６】
なお、粒径の大きなガラスカレット（１０）が突出して凹凸が形成される場合は、太陽電池用塗料（１）をさらに上塗りしてもよい。さらに、この塗料（１）であれば、太陽電池（２）だけでなく、建築物外壁（３）に直接塗布することができるので、太陽電池（２）が装着されていない外壁部分（３）に整合させて、建物全体の意匠的バランスを得ることができる。
【００１７】
このように、ガラスカレット（１０）の混合された太陽電池用塗料（１）を太陽電池（２）に塗布することによって、微細なガラスカレット（１０）が太陽光を反射してきらきらと美しく輝く。従って、この太陽電池用塗料（１）を塗布した太陽電池（２）及び建築物全体の意匠性を大きく向上させる。また、ガラスカレット（１０）が遮熱性を有するので、太陽電池用塗料（１）を塗布した太陽電池（２）表面の温度上昇を和らげることができる。これによって、建築物内部への熱伝導が少なくなり、冷暖房に用いるエネルギーを少なくすることができる。
【００１８】
また、ガラスカレット（１０）が、増粘剤及び硬化剤の結合力を高める骨材として作用し、太陽電池用塗料（１）全体の強度が大きくなる。さらに、産業廃棄物のガラスカレット（１０）を大量に用いることにより、環境改善に大きく貢献することができる。
【図面の簡単な説明】
【００１９】
【図１】塗料の塗布された太陽電池を示す断面図である。
【符号の説明】
【００２０】
（１）  太陽電池用塗料
（２）  太陽電池
（３）  建築物外壁
（１０）  ガラスカレット
（１１）  透明性塗料
【図１】
2007300014.tif 000003